(57)【特許請求の範囲】
【請求項１】
天井材に穿設された取付孔に対して、前記天井材を厚み方向に挟持するための挟持部を有する器具を取り付けることを補助する取付補助部材であって、
前記取付孔に連通する透孔を形成し、前記天井材裏面側から前記取付孔周縁に当接する当接部を有し、前記挟持部により前記天井材とともに挟持される厚みを有する本体部と、
前記当接部よりも前記天井材表面側に突出するように前記本体部に設けられた突出部と、を備え、
前記当接部が前記取付孔周縁に当接する位置で前記突出部が前記取付孔の内周面に係合可能であり、且つ、前記突出部は、前記天井材表面側に突出する第１位置から前記天井材の表面から突出しない第２位置に変位可能に構成され、
前記突出部は、前記当接部の内周側端縁から延設されているとともに、前記本体部側に折り返すように前記第１位置から前記第２位置に変位可能であり、前記本体部には、折り返した前記突出部を収納する収納部が設けられていることを特徴とする取付補助部材。
【請求項２】
天井材に穿設された取付孔に対して、前記天井材を厚み方向に挟持するための挟持部を有する器具を取り付けることを補助する取付補助部材であって、
前記取付孔に連通する透孔を形成し、前記天井材裏面側から前記取付孔周縁に当接する当接部を有し、前記挟持部により前記天井材とともに挟持される厚みを有する本体部と、
前記当接部よりも前記天井材表面側に突出するように前記本体部に設けられた突出部と、を備え、
前記当接部が前記取付孔周縁に当接する位置で前記突出部が前記取付孔の内周面に係合可能であり、且つ、前記突出部は、前記天井材表面側に突出する第１位置から前記天井材の表面から突出しない第２位置に変位可能に構成され、
前記突出部を前記第２位置に保持する保持部をさらに備えることを特徴とする取付補助部材。
【請求項３】
前記本体部を前記取付孔周縁に固定するための固定手段をさらに備えることを特徴とする請求項１又は２に記載の取付補助部材。
【請求項４】
天井材に穿設された取付孔に対して、前記天井材を厚み方向に挟持するための挟持部を有する器具を取り付けることを補助する取付補助部材であって、
前記取付孔に連通する透孔を形成し、前記天井材裏面側から前記取付孔周縁に当接する当接部を有し、前記挟持部により前記天井材とともに挟持される厚みを有する本体部と、
前記当接部よりも前記天井材表面側に突出するように前記本体部に設けられた突出部と、
前記本体部を前記取付孔周縁に固定するための固定手段と、を備え、
前記当接部が前記取付孔周縁に当接する位置で前記突出部が前記取付孔の内周面に係合可能であり、且つ、
前記突出部は、前記固定手段により前記本体部が前記取付孔周縁に固定された状態で、（ａ）前記天井材表面側に突出する第１位置から前記天井材の表面から突出しない第２位置に変位可能であり、（ｂ）前記天井材の表面から突出しない位置まで、その突出長が減少するように変位可能であり、又は、（ｃ）前記本体部から除去可能であるように構成されていることを特徴とする取付補助部材。
【請求項５】
前記本体部は、２つの分割体を組み合わせてなり、前記各分割体の位置を相対的に変位させることにより、前記本体部が前記取付孔周縁に当接可能である第１形態と前記取付孔を通過可能な第２形態とに相互に変形可能であり、
前記２つの分割体の一方に前記突出部が設けられていることを特徴とする請求項１から４のいずれか一項に記載の取付補助部材。
【請求項６】
前記本体部を前記取付孔周縁に固定するための固定手段をさらに備え、前記固定手段は、前記突出部が設けられた一方の分割体に少なくとも設けられていることを特徴とする請求項５に記載の取付補助部材。 
【発明の詳細な説明】
【技術分野】
【０００１】
本発明は、天井材に穿設した取付孔への器具の取着を補助するための取付補助部材に関する。
【背景技術】
【０００２】
一般的に、ダウンライトなどの器具を天井材の取付孔に取り付けるには、取付孔に器具を挿入し、器具の一部を天井裏に配置した上で器具の取付金具（例えば、板バネ）と器具の一部（例えば、鍔部）とで天井材を厚み方向に挟持することにより、器具を天井材の取付孔に取り付ける。しかしながら、取付孔周縁における天井材の形状、厚み、材質等が多岐に亘っている。そして、器具が天井材（取付孔周縁）の形状等に対応していない場合、器具の天井材への取り付けを補助する取付補助部材が用いられる。
【０００３】
例えば、特許文献１は、天井材の取付孔の内側縁の状態にかかわらず、天井材の取付孔に対してダウンライト器具を取り付けるためのダウンライト器具の取付補助部材を開示する。特許文献１において、ダウンライト器具の器具本体（１０）は、筐体（１２）の開口部外縁外周に設けられた外鍔（１４）と、筐体（１２）の外側に上広がりの角度に設置された一対の取付バネ（１６ａ，１６ｂ）を有し、中空の内部にランプ（１５）が取り付けられる。取付補助板（３０）は、中央に筐体（１２）が挿通可能な透孔（３２）が形成され、天井材の厚み以上の幅（ｗ）にわたって切除された切除部（３４）を有する略Ｃ型形状に形成されている。そして、器具本体（１０）を天井材（１８）に固定するには、まず、取付補助板（３０）を天井材（１８）の取付孔（２０）に挿入し、裏側取付部（１８ｂ）に固定する。次に、器具本体（１０）を、取付バネ（１６ａ，１６ｂ）を筐体（１２）側に押して撓ませた状態で取付孔（２０）及び透孔（３２）に押し込む。そして、取付孔（２０）及び透孔（３２）に挿通した取付バネ（１６ａ，１６ｂ）が外方向に復帰して取り付けが完了する。なお、（）内に特許文献１の符号を示した。
【先行技術文献】
【特許文献】
【０００４】
【特許文献１】特開２００９−１４０６５０号公報
【発明の概要】
【発明が解決しようとする課題】
【０００５】
しかしながら、例えば、天井材がスパンドレルのような薄厚の材料で構成された場合、ダウンライト器具の取付バネで天井材を十分に挟持することができない。そして、従来技術の取付補助板を取付バネと天井材裏面との間に介在させたとしても、取付補助板が薄板状に形成されているので、天井厚と取付補助板の厚みの合計が器具の取付バネで十分に挟持可能な厚みには足りず、器具を天井材にしっかりと固定できない。また、取付補助部材を天井材に配置する際、取付補助板の透孔と天井材の取付孔とを合致させるように、取付補助部材の位置決めを出来るだけ正確に行う必要がある。しかしながら、取付補助部材の位置決めの作業は、一般的に天井材表側から取付孔に手を入れた状態で天井材裏側で行われるので、目視することができず、正確な位置決めを迅速に行うことが困難であった。それ故、器具の天井材への設置作業が困難になることが問題であった。
【０００６】
本発明の目的は、天井材の厚みに対応するとともに、器具の設置作業を改善すべく、天井材に穿設した取付孔への器具の取着を補助するための取付補助部材を提供することにある。
【課題を解決するための手段】
【０００７】
請求項１に記載の取付補助部材は、天井材に穿設された取付孔に対して、前記天井材を厚み方向に挟持するための挟持部を有する器具を取り付けることを補助する取付補助部材であって、
前記取付孔に連通する透孔を形成し、前記天井材裏面側から前記取付孔周縁に当接する当接部を有し、前記挟持部により前記天井材とともに挟持される厚みを有する本体部と、
前記当接部よりも前記天井材表面側に突出するように前記本体部に設けられた突出部と、を備え、
前記当接部が前記取付孔周縁に当接する位置で前記突出部が前記取付孔の内周面に係合可能であり、且つ、前記突出部は、前記天井材表面側に突出する第１位置から前記天井材の表面から突出しない第２位置に変位可能に構成され、
前記突出部は、前記当接部の内周側端縁から延設されているとともに、前記本体部側に折り返すように前記第１位置から前記第２位置に変位可能であり、前記本体部には、折り返した前記突出部を収納する収納部が設けられていることを特徴とする。
【０００８】
請求項２に記載の取付補助部材は、天井材に穿設された取付孔に対して、前記天井材を厚み方向に挟持するための挟持部を有する器具を取り付けることを補助する取付補助部材であって、
前記取付孔に連通する透孔を形成し、前記天井材裏面側から前記取付孔周縁に当接する当接部を有し、前記挟持部により前記天井材とともに挟持される厚みを有する本体部と、
前記当接部よりも前記天井材表面側に突出するように前記本体部に設けられた突出部と、を備え、
前記当接部が前記取付孔周縁に当接する位置で前記突出部が前記取付孔の内周面に係合可能であり、且つ、前記突出部は、前記天井材表面側に突出する第１位置から前記天井材の表面から突出しない第２位置に変位可能に構成され、
前記突出部を前記第２位置に保持する保持部をさらに備えることを特徴とする。
【０００９】
請求項３に記載の取付補助部材は、請求項１又は２に記載の取付補助部材において、前記本体部を前記取付孔周縁に固定するための固定手段をさらに備えることを特徴とする。
【００１０】
請求項４に記載の取付補助部材は、天井材に穿設された取付孔に対して、前記天井材を厚み方向に挟持するための挟持部を有する器具を取り付けることを補助する取付補助部材であって、
前記取付孔に連通する透孔を形成し、前記天井材裏面側から前記取付孔周縁に当接する当接部を有し、前記挟持部により前記天井材とともに挟持される厚みを有する本体部と、
前記当接部よりも前記天井材表面側に突出するように前記本体部に設けられた突出部と、
前記本体部を前記取付孔周縁に固定するための固定手段と、を備え、
前記当接部が前記取付孔周縁に当接する位置で前記突出部が前記取付孔の内周面に係合可能であり、且つ、
前記突出部は、前記固定手段により前記本体部が前記取付孔周縁に固定された状態で、（ａ）前記天井材表面側に突出する第１位置から前記天井材の表面から突出しない第２位置に変位可能であり、（ｂ）前記天井材の表面から突出しない位置まで、その突出長が減少するように変位可能であり、又は、（ｃ）前記本体部から除去可能であるように構成されていることを特徴とする。
【００１１】
請求項５に記載の取付補助部材は、請求項１から４のいずれか一項に記載の取付補助部材において、前記本体部は、２つの分割体を組み合わせてなり、前記各分割体の位置を相対的に変位させることにより、前記本体部が前記取付孔周縁に当接可能である第１形態と前記取付孔を通過可能な第２形態とに相互に変形可能であり、前記２つの分割体の一方に前記突出部が設けられていることを特徴とする。
【００１２】
【００１３】
請求項６に記載の取付補助部材は、請求項５に記載の取付補助部材において、前記本体部を前記取付孔周縁に固定するための固定手段をさらに備え、前記固定手段は、前記突出部が設けられた一方の分割体に少なくとも設けられていることを特徴とする。
【発明の効果】
【００１４】
本発明の取付補助部材によれば、本体部は、当接部が天井材の取付孔周縁に当接した状態で、器具の挟持部により天井材とともに挟持され得る厚みを有している。つまり、天井材の厚みと本体部の厚みの合計が器具の挟持部により挟持可能な厚みに達するように、本体部の厚みが定められている。これにより、天井材の厚みによらずに、取付補助部材を介して器具を天井材に取り付け可能となる。また、取付補助部材は、当接部が取付孔周縁に当接する位置で、本体部に設けられた突出部が取付孔の内周面に係合することを特徴とする。つまり、突出部を取付孔の内周面に係合させることで、取付補助部材を所定の設置位置にガイドして迅速且つ正確に配置することが可能である。よって、本発明によれば、取付補助部材の取付孔周縁への位置決めを簡単に行うことができる。そして、突出部によって取付補助部材の位置決めをした状態では、（特に天井材が肉薄である場合）突出部が天井材表面から突出することがあるが、これは見栄え上望ましくない。これに対し、本発明によれば、突出部は、位置決め（ガイド）の機能を果たした後に邪魔にならないように、天井材表面側に突出する第１位置から天井材表面から突出しない第２位置に変位可能であり、又は、本体部から除去可能であるように構成されている。よって、取付補助部材は、器具設置構造の見栄えを損なうことなく、器具の設置作業を改善することが可能である。
【００１５】
請求項１に記載の取付補助部材によれば、上記発明の効果に加えて、当接部の内周端縁から延設された突出部を取付孔内周面に当接させることにより、取付補助部材の位置決めが容易である。そして、位置決め後に、本体部に設けられた収納部に突出部を折り返して収容することにより、突出部を邪魔にならない位置に簡単に配置することができる。さらに、突出部を破壊又は切除することなく収納部に収納することができるので、取付補助部材を再利用することも可能である。
【００１６】
請求項２に記載の取付補助部材によれば、上記発明の効果に加えて、保持部によって突出部を第２位置に安定的に維持することができる。
【００１７】
請求項４に記載の取付補助部材によれば、本体部は、当接部が天井材の取付孔周縁に当接した状態で、器具の挟持部により天井材とともに挟持され得る厚みを有している。つまり、天井材の厚みと本体部の厚みの合計が器具の挟持部により挟持可能な厚みに達するように、本体部の厚みが定められている。これにより、天井材の厚みによらずに、取付補助部材を介して器具を天井材に取り付け可能となる。また、取付補助部材は、当接部が取付孔周縁に当接する位置で、本体部に設けられた突出部が取付孔の内周面に係合することを特徴とする。つまり、突出部を取付孔の内周面に係合させることで、取付補助部材を所定の設置位置にガイドして迅速且つ正確に配置することが可能である。よって、本発明によれば、取付補助部材の取付孔周縁への位置決めを簡単に行うことができる。そして、突出部によって取付補助部材の位置決めをした状態では、（特に天井材が肉薄である場合）突出部が天井材表面から突出することがあるが、これは見栄え上望ましくない。これに対し、本発明によれば、突出部は、位置決め（ガイド）の機能を果たした後に邪魔にならないように、その突出長を減少させるように変位可能であり、又は、本体部から除去可能であるように構成されている。よって、取付補助部材は、器具設置構造の見栄えを損なうことなく、器具の設置作業を改善することが可能である。
【００１８】
請求項５に記載の取付補助部材によれば、請求項１から４のいずれかの発明の効果に加えて、２つの分割体の各分割体の位置を相対的に変位させて本体部を変形させることで、本体部を簡単に取付孔に通過させることができる。さらに、一方の分割体に突出部が設けられていることにより、取付孔を通過可能に変形した状態で、突出部を取付孔内周面に係合させて位置決め可能である。よって、作業性の向上に貢献する。
【００１９】
請求項３に記載の取付補助部材によれば、請求項１又は２の発明の効果に加えて、取付補助部材を位置決めした後に、当該位置からずれないように固定手段によって取付補助部材を取付孔周縁に固定することができる。
【００２０】
請求項６に記載の取付補助部材によれば、請求項５の発明の効果に加えて、折り畳み変形させた第２形態の本体部を取付孔に通過させて位置決め及び固定した後に、本体部を当初の第１形態に戻すことにより、取付補助部材を取付孔周縁に簡単に配置することができる。
【図面の簡単な説明】
【００２１】
【図１】本発明の一実施形態の取付補助部材の（ａ）上から見た概略斜視図、及び、（ｂ）下から見た概略斜視図。
【図２】図１の取付補助部材の（ａ）平面図、（ｂ）正面図、（ｃ）側面図、及び（ｄ）底面図。
【図３】図２の取付補助部材の（ａ）Ａ−Ａ断面図及び（ｂ）Ｂ−Ｂ断面図。
【図４】図１の取付補助部材の部分拡大斜視図であり、（ａ）突出部が当接部から下方に突出する第１位置、（ｂ）突出部が収納された第２位置を示す。
【図５】図４の取付補助部材の突出部の（ａ）第１位置における概略断面図、及び（ｂ）第２位置における概略断面図。
【図６】図１の第１形態から折り畳まれた第２形態の取付補助部材の（ａ）上から見た概略斜視図、及び、（ｂ）下から見た概略斜視図。
【図７】図４の取付補助部材の（ａ）平面図、（ｂ）正面図、（ｃ）側面図、及び（ｄ）底面図。
【図８】本実施形態のダウンライト器具の（ａ）上から見た概略斜視図、及び、（ｂ）下から見た概略斜視図。
【図９】本発明の一実施形態の器具設置構造の概略斜視図。
【図１０】図９の器具設置構造の平面図。
【図１１】図１０の器具設置構造の（ａ）Ｃ−Ｃ概略断面図、及び、（ｂ）Ｄ−Ｄ概略断面図。
【図１２】一実施形態の取付補助部材を用いてダウンライト器具を天井材の取付孔に対して設置する方法の各工程を示す模式図であって、（ａ）取付補助部材を天井材表面側から裏面側へと移動させる工程、及び、（ｂ）取付補助部材を取付孔周縁に対して設置する工程を示す。
【図１３】一実施形態の取付補助部材を用いてダウンライト器具を天井材の取付孔に対して設置する方法の各工程を示す模式図であって、（ａ）突出部により位置決めする工程、及び、（ｂ）突出部を折り畳む工程を示す。
【図１４】一実施形態の取付補助部材を用いてダウンライト器具を天井材の取付孔に対して設置する方法の一工程を示す模式図であって、取付孔周縁に取付補助部材を設置した天井材に対してダウンライト器具を取り付ける工程を示す。
【図１５】本発明の変形例の取付補助部材の（ａ）上から見た概略斜視図、（ｂ）下から見た概略斜視図、及び、（ｃ）該取付補助部材を取付孔に通過させる工程を示す図。
【図１６】本発明の変形例の取付補助部材の（ａ）上から見た概略斜視図、及び（ｂ）下から見た概略斜視図。
【発明を実施するための形態】
【００２２】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２３】
本発明の一実施形態の取付補助部材１００は、天井材に穿設された取付孔に対する器具の取付を補助するように構成されている。より具体的には、取付補助部材１００は、天井材１１に穿設された取付孔１２に対してダウンライト器具１５（図８参照）を取り付けることを補助する。そして、本実施形態において、取付補助部材１００を用いて天井材１１の取付孔１２にダウンライト器具１５を設置した構造を器具設置構造１０（図９乃至図１１参照）と称する。
【００２４】
まず、図１乃至図７を参照して、取付補助部材１００を詳細に説明する。図１（ａ），（ｂ）は、一実施形態の取付補助部材１００の上方から見た斜視図及び下方から見た斜視図である。図２（ａ）〜（ｄ）は、取付補助部材１００の平面図、正面図、側面図及び底面図である。図３（ａ），（ｂ）は、取付補助部材１００のＡ−Ａ断面図、Ｂ−Ｂ断面図である。図４（ａ），（ｂ）は、取付補助部材１００の突出部１０８の部分拡大斜視図（延出状態及び収納状態）である。図５（ａ），（ｂ）は、突出部１０８の概略断面図（延出状態及び収納状態）である。図６（ａ），（ｂ）は、折り畳み変形した形態の取付補助部材１００の上方から見た斜視図及び下方から見た斜視図である。図７（ａ）〜（ｄ）は、折り畳み変形した形態の取付補助部材１００の平面図、正面図、側面図及び底面図である。
【００２５】
図１乃至図３に示すとおり、取付補助部材１００は、平面視円環状に形成された本体部１０１と、天井材１１表面側に突出するように該本体部１０１に設けられた突出部１０８とを備える。本体部１０１は、一対のＣ字状又は半円弧状の分割体１０１ａ１，１０１ａ２が接合することで円環状に構成されている。また、本体部１０１は、円環の内側に天井材１１の取付孔１２（図９参照）に連通する透孔１０１ｂを形成する。
【００２６】
該本体部１０１の下面には、天井材１１裏面側から取付孔１２周縁に当接する当接部１０２が設けられている。すなわち、当接部１０２が取付孔１２周縁に当接可能であるように、本体部１０１の外径は少なくとも取付孔１２内径よりも大きい。本実施形態では、本体部１０１（透孔１０１ｂ）の内径と、取付孔１２の内径とがほぼ等しくなるように定められている。該本体部１０１の上面には、ダウンライト器具１５の弾性片１８（図８参照）を受けるための受け部１０３が設けられている。また、本体部１０１の外周側面から複数の張り出し部１０７が突出している。作業者は該張り出し部１０７を把持して取付補助部材１００を操作可能である。本実施形態では、一方の分割体１０１ａ１に２つの張り出し部１０７が設けられ、他方の分割体１０１ａ２に１つの張り出し部１０７が設けられている。そして、各張り出し部１０７下面と（該張り出し部１０７に連設された）当接部１０２下面の一部とによって比較的広い平坦部位１１１が形成されている。該平坦部位１１１は、取付補助部材１００を取付孔１２周縁に固定するための固定手段の配置スペースとして活用可能である。特には、張り出し部１０７の張り出しによって、両面テープの貼着面を比較的広く確保することができる。また、一方の分割体１０１ａ１の２つの張り出し部１０７の間において、本体部１０１の内周面が切り欠かれて本体部１０１がＬ字断面をなしている。本体部１０１のＬ字断面部分の受け部１０３側の壁部は、作業者にとってつまみ易く、つまみ部１１２として機能し得る。
【００２７】
そして、本体部１０１は、ダウンライト器具１５の挟持部（鍔部１７、弾性片１８）により天井材１１とともに挟持される厚み（当接部１０２と受け部１０３との距離）を有するように構成されている。この本体部１０１の厚み（本実施形態では約１０ｍｍ）は、後述のダウンライト器具１５の挟持部によって挟持可能な厚みとほぼ等しいか、又は、それよりも大きく定められることが好ましい。しかしながら、本体部１０１及び天井材１１の厚みの合計が、挟持部で挟持又は挟圧可能な板材の厚みを少なくとも超えていればよい。すなわち、本発明の本体部１０１の厚みは、天井材の厚みと挟持部で挟持可能な厚みに基づいて適宜設定され得る。
【００２８】
図４（ａ）に示すとおり、該本体部１０１には、当接部１０２よりも天井材１１表面側に突出するように突出部１０８が設けられている。本実施形態では、２つの突出部１０８が一方の分割体１０１ａのみに形成されている。各突出部１０８は、当接部１０２の内周側端縁から所定長さで垂下している。該突出部１０８の長さは、天井材１１の厚みよりも長く、天井材１１裏面の取付孔１２周縁に載置したときに取付孔１２から天井材１１表側に突き出る長さであることが好ましい。また、該突出部１０８は、先端で閉塞されたコ字状の薄板片であり、本体部１０１の内周面（及び取付孔１２の周縁）と実質的に同じ曲率で円弧状に湾曲している。つまり、突出部１０８は、当接部１０２の内周側端縁に沿って周方向に所定幅で延在している。すなわち、突出部１０８は、当接部１０２が取付孔１２周縁に当接する位置（特には、透孔１０１ｂ及び取付孔１２の中心が合致し、当接部１０２内周側端縁と取付孔１２周縁がほぼ揃った位置）で取付孔１２内周面に係合可能に構成されている。さらに、該突出部１０８の内面には、鉤爪状の係合爪１０８ａが径方向内方に向けて突出形成されている。図５（ａ）に示すように、係合爪１０８ａは、突出部１０８内面から略垂直に延び出ており、その先端で上方（突出部１０８基端側）に向いた錐状の突起が形成されている。
【００２９】
また、突出部１０８は、当接部１０２から天井材１１表面側に突出する第１位置（図４（ａ），図５（ａ）の形態）から天井材１１表面から突出しない第２位置（図４（ｂ），図５（ｂ）の形態）に変位可能に構成されている。なお、本発明の「天井材表面側に突出する第１位置」は、本実施形態のように、当接部とともに天井材表面から突出する形態に加えて、当接部から突出するものの天井材表面から突出しない形態をも含む概念である。すなわち、本発明の取付補助部材は、天井材の厚みに左右されることなく、その作用効果を発揮するものである。
【００３０】
突出部１０８は、他の部位よりも相対的に肉薄の連結部位１０８ｂを介して本体部１０１に連結されている。これにより、図５（ａ），（ｂ）に示すように、当該連結部位１０８ｂをヒンジとして、突出部１０８は本体部１０１側に折り返すように回動変位可能である。換言すると、突出部１０８は、当接部１０２から突出する突出長が減少するように、取付孔１２内周面に係合可能な突出位置から縮退又は変位可能である。他方、本体部１０１には、折り返した突出部１０８を収納する収納部１０９が設けられている。該収納部１０９は、本体部１０１の内周面に凹設された凹みであり、突出部１０８の形状に対応している。収納部１０９の上端には、突出部１０８の係合爪１０８ａを収容して掛止可能とする切り欠き１０９ａが形成されている。該切り欠き１０９ａは、本体部１０１の受け部１０３側の内周側端縁が切り欠かれて形成されている。そして、図５（ｂ）に示すように、突出部１０８が収納部１０９に収納された状態では、係合爪１０８ａ先端の突起が切り欠き１０９ａ内で本体部１０１内壁に引っ掛かることで、突出部１０８が収納部１０９内に保持され得る。つまり、係合爪１０８ａ及び切り欠き１０９ａは、突出部１０８を第２位置に保持する保持部として機能する。
【００３１】
本体部１０１を構成する一対の分割体１０１ａ１，１０１ａ２は、ヒンジ部１０４を介して回動式に連結されてなる。そして、本体部１０１は、取付孔１２周縁に当接可能である第１形態（図１〜図３の形態）から各分割体１０１ａ，１０１ａ２の相対位置を変位させることにより、取付孔１２を通過可能な第２形態（図６〜図７の形態）に変形可能である。すなわち、環状の本体部１０１の外径が取付孔１２の内径よりも大きいので、環状の第１形態では取付孔１２を通過できない。それ故、取付補助部材１００を取付孔１２に通過させる際に第２形態が選択され得る。
【００３２】
詳細には、一対のヒンジ部１０４が、本体部１０１の径方向に沿った位置に設けられている。該ヒンジ部１０４は、本体部１０１を径方向に横断する溝である。また、ヒンジ部１０４の溝は、下面側（当接部１０２側）に開放又は凹設されている。そのため、一対の分割体１０１ａ１，１０１ａ２は、上面（受け部１０３）が互いに近接する方向に優先的に回動可能である。そして、ヒンジ部１０４の両側には、係合凸部１０５と係合凹部１０６が設けられている。係合凸部１０５は本体部１０１上面から隆起した突起であり、係合凹部１０６は、係合凸部１０５を嵌合可能な孔又は凹みである。係合凸部１０５及び係合凹部１０６は、ヒンジ部１０４を中心とした対称位置にそれぞれ配置されている。
【００３３】
そして、図１乃至図３に示した環状の第１形態から一対の分割体１０１ａ１，１０１ａ２を折り畳むように回動させると、取付補助部材１００は、図６及び図７に示すようなＣ字状の第２形態に変形する。第２形態では、一対の分割体１０１ａ１，１０１ａ２がヒンジ部１０４を境に折り畳まれており、各分割体１０１ａ１，１０１ａ２の上面（受け部１０３）が当接している。このとき、係合凸部１０５が係合凹部１０６に摩擦係合している。この嵌合による摩擦力によって第２形態が簡易的に維持されている。このような摩擦による係合凸部１０５及び係合凹部１０６の嵌合は簡単に解除することができるので、取付補助部材１００は第２形態から第１形態へと簡単に変形可能である。
【００３４】
次に、本実施形態の器具設置構造１０を構成する天井材１１の構造を説明する。本実施形態の天井材１１は、金属板からなり、比較的薄く形成されている。この天井材１１の厚み（本実施形態では約１ｍｍ）は、後述のダウンライト器具１５の挟持部（鍔部１７、弾性片１８）によって挟持可能な厚みよりも大幅に薄い。なお、当該天井材１１は、例示にすぎず、その材質や厚み等を任意に変更可能である。
【００３５】
図８を参照して、本実施形態の器具設置構造１０を構成するダウンライト器具１５の構造を説明する。図８に示すように、ダウンライト器具１５は、ＬＥＤ電球などの電灯を内装する器具本体１６と、該器具本体１６の下面（照光側端面）から側方に張り出した環状の鍔部１７とを備える。そして、器具本体１６における鍔部１７の裏面側基端から一対の板バネ状の弾性片１８が側方に延び出ている。弾性片１８は、鍔部１７に近接する角度で延在しており、鍔部１７と離隔する方向（上方）に弾性変形可能である。離隔方向に弾性変形した弾性片１８と、鍔部１７とで所定厚の板材（天井材１１の取付孔１２周縁）を弾性力によって挟み込んで挟持することが可能である。すなわち、鍔部１７及び弾性片１８が協働して挟持部として機能する。本実施形態では、挟持部（鍔部１７、弾性片１８）で実用的に挟持又は挟圧可能な板材の厚みは、少なくとも約９ｍｍであり、本体部１０１を挟持可能である。なお、ここで説明したダウンライト器具１５は、器具の例示にすぎず、挟持部で板材を挟持するタイプの一般的な器具又は照明器具であれば、その形状・形態は問わない。また、挟持部の弾性片は板バネに限定されず、爪などの非弾性の部材であってもよい。さらに、「挟持」の方向も必ずしも天井材１１に対して垂直な方向に限定されず、器具の挟持部が外方に広がるようにして挟持圧がかかるタイプのものでもよい。
【００３６】
次いで、図９乃至図１１を参照して、本実施形態の取付補助部材１００を用いてダウンライト器具１５を天井材１１の取付孔１２に設置した器具設置構造１０について説明する。図９は、器具設置構造１０の概略斜視図である。図１０は、器具設置構造１０の平面図である。図１１（ａ），（ｂ）は、器具設置構造１０のＣ−Ｃ概略断面図及びＤ−Ｄ概略断面図である。なお、概略断面図において、説明の便宜上、ダウンライト器具１５の器具本体１６内部を断面として表していない。
【００３７】
図９及び図１０に示すとおり、器具設置構造１０では、天井材１１の取付孔１２にダウンライト器具１５の器具本体１６が収容されている。また、環状の取付補助部材１００が天井材１１裏面上に載置されている。そして、ダウンライト器具１５の一対の弾性片１８と鍔部１７とによって、天井材１１と取付補助部材１００が挟持されることにより、ダウンライト器具１５が天井材１１に設置されている。
【００３８】
より具体的には、図１１（ａ）に示すように、天井材１１表面に鍔部１７上面が当接した状態で器具本体１６の筐体上部が天井材１１裏面側へと延び出ている。他方、取付補助部材１００の当接部１０２が取付孔１２周縁に天井材１１裏面から当接している。このとき、取付補助部材１００の透孔１０１ｂと取付孔１２とが連通し、その中心及び内周縁がほぼ合致している。そして、取付補助部材１００は、当接部１０２の一部に設けられた両面テープ（図示せず）を介して取付孔１２周縁に固着されている。また、図１１（ｂ）に示すように、突出部１０８は、天井材１１表面側に突出しないように、天井材１１裏面側に折り返されて収納部１０９に収納されている。突出部１０８の係合爪１０８ａが収容部１０９の切り欠き１０９ａの縁部に係合し、突出部１０８が収容位置に維持されている。さらに、収納された突出部１０８の内方に器具本体１６の筐体部分が配置されているので、突出部１０８の下方への回動が規制され、突出部１０８が事後的に天井材１１表面側に垂れ下がることはない。
【００３９】
そして、弾性片１８が鍔部１７上面から取付孔１２を通って天井材１１裏面側へと延び出ている。弾性片１８は、少なくとも取付補助部材１００の受け部１０３に当接して上方（天井材裏面側）に弾性変形している。つまり、弾性片１８は図８の初期状態から上方に回動するように弾性変形している。そして、弾性片１８の弾性復帰力が受け部１０３に作用することにより、鍔部１７と弾性片１８とによって天井材１１（取付孔１２周縁）及び取付補助部材１００（本体部１０１）が併せて挟持されている。すなわち、器具設置構造１０では、本体部１０１の厚みによって天井材１１の厚みがかさ増しされることにより、弾性片１８による弾性力が十分に発揮されている。換言すれば、天井材１１の厚みだけでは弾性片１８の弾性変形が不十分となり、取付補助部材１００なしでは天井材１１を鍔部１７及び弾性片１８でしっかりと挟持することができない。その結果、ダウンライト器具１５が天井材１１の取付孔１２に対して安定的に取り付けられている。
【００４０】
続いて、図１２及び図１３を参照して、本実施形態の器具設置構造１０を構築する方法、すなわち、天井材１１を厚み方向に挟持する挟持部を有するダウンライト器具１５を取付孔１２を介して固定する方法を説明する。
【００４１】
まず、取付補助部材１００を準備し、図１２（ａ）に示すように、天井材１１表面側で取付補助部材１００を折り畳んで第２形態へと変形させる。具体的には、ヒンジ部１０４を中心として、受け部１０３が近接する方向に一対の分割体１０１ａ，１０１ａを相対的に回動させ、係合凸部１０５及び係合凹部１０６を摩擦嵌合させることによって本体部１０１を折り畳む。次に、張り出し部１０７又はつまみ部１１２を把持しつつ、取付孔１２を介してＣ字状に変形した取付補助部材１００を天井材１１表面側から裏面側へと挿入する。このとき、つまみ部１１２をつまんで、取付補助部材１００を天井材１１裏面に挿入配置することが好ましい。すなわち、張り出し部１０７下面の平坦部位１１１に両面テープが予め設けられている場合、つまみ部１１２を活用することで、作業者が両面テープを触って汚したりして、接着力を低下させることを防止できる。なお、取付補助部材１００の本体部１０１の外径は取付孔１２の径よりも大きいが、このように半分に折り畳むことにより、取付補助部材１００を天井材１１裏面側へと簡単に配置することができる。また、第２形態の取付補助部材１００は比較的コンパクトであるので、天井材１１裏面側での取り回しが容易である。
【００４２】
次に、図１２（ｂ）に示すように、係合凸部１０５及び係合凹部１０６の摩擦係合を解除し、天井材１１裏面側で取付補助部材１００を第２形態から展開して第１形態へと変形させ、突出部１０８により位置決めを行い、取付補助部材１００を取付孔１２周縁上に配置する。好ましくは、天井材１１裏面側で取付補助部材１００を折り畳んだ状態で、２つの突出部１０８を取付孔１２内周面に当接させつつ取付孔１２周縁に取付補助部材１００を載置し、一方の分割体１０１ａ１の当接部１０２を取付孔１２内周面に当接させる。特には、図１３（ｂ）に示すように、当接部１０２と取付孔１２周縁とが未だ離隔した状態から、（当接部１０２よりも下方に突出する）２つの突出部１０８外面を取付孔１２内周面に係合させつつ、当接部１０２を取付孔１２周縁に対して摺動（又はガイド）させながら近接させることにより、取付補助部材１００を目視することなく、取付補助部材１００の位置決めを簡単且つ迅速に行うことができる。なお、突出部１０８外面と取付孔１２内周面との「係合」は、外力に抗して動かないものに限らず、取付孔１２に対して相対的に位置を定められる程度に当たり合う（宛がわれる）ものも含む概念である。
【００４３】
そして、一方の分割体１０１ａ１を取付孔１２周縁の一方側に両面テープで固着した上で、張り出し部１０７を把持しつつ取付補助部材１００を第１形態に変形させ、他方の分割体１０１ａ２を取付孔１２周縁の他方側に両面テープで固着する。これにより、取付孔１２及び透孔１０１ｂの中心（又は周縁）を合致させて、取付補助部材１００を取付孔１２周縁上に簡単に固着することができる。なお、位置固定手段として両面テープ（貼着）の代わりに、磁石（磁着）を採用してもよい。
【００４４】
続いて、図１３（ｂ）に示すとおり、取付補助部材１００を位置決めして固定した状態で、各突出部１０８を取付孔１２から天井材１１表面側に突出する第１位置から、突出部１０８を内方に回動させて収納部１０９に収納させることにより、天井材１１表面側に突出しない第２位置に変位させる。すなわち、突出部１０８は、取付孔１２の内周面に係合させた状態で（つまり位置決め後に）その突出長が減少するように変位可能である。なお、第１位置において、突出部１０８が取付孔１２を貫通して天井材１１表面から突出しているので、作業者は突出部１０８を天井材１１表面側から簡単に把持して収納操作することができる。こうして、天井材１１裏面に取付補助部材１００を設置して取付孔１２周縁の厚みをかさ増しすることができる。
【００４５】
そして、図１４に示すように、取付孔１２及び透孔１０１ｂに向けて天井材１１表面側から（図示しないが、電源等に配線された）ダウンライト器具１５を差し込む。具体的には、器具本体１６上部を取付孔１２に差し込む際、弾性片１８を上方及び内方に弾性変形させることにより、弾性片１８を取付孔１２周縁に当接させずに器具本体１６を取付孔１２に通過させることができる。そして、ダウンライト器具１５の鍔部１７上面が天井材１１表面に当接するまで器具本体１６を差し込むと、弾性片１８が下方に部分的に回動して受け部１０３に当接する。このとき、弾性片１８はまだ弾性変形した状態にあるため、弾性片１８が受け部１０３を下方に付勢している。このようにして、弾性片１８と鍔部１７とに天井材１１及び取付補助部材１００を挟持させることで、ダウンライト器具１５を天井材１１の取付孔１２に対して設置することができる。
【００４６】
なお、ここで説明した方法は、一例にすぎず、当業者であれば、各工程の順序を入れ替え、又は、状況に応じて不要な工程を省略又は変更することも可能である。例えば、突出部１０８を収納部１０９に収納する代わりに切除してもよい。この場合、肉薄の溝状の連結部位１０８ｂが切断補助線として機能するので、容易に突出部１０８を除去することができる。
【００４７】
以下、本発明に係る一実施形態の取付補助部材１００の作用効果について説明する。
【００４８】
本実施形態の取付補助部材１００によれば、本体部１０１は、当接部１０２が天井材１１の取付孔１２周縁に当接した状態で、ダウンライト器具１５の挟持部により天井材１１とともに挟持され得る厚みを有している。つまり、天井材１１の厚みと本体部１０１の厚みの合計がダウンライト器具１５の挟持部により挟持可能な厚みに達するように、本体部１０１の厚みが定められている。これにより、天井材１１の厚みによらずに、取付補助部材１００を介してダウンライト器具１５を天井材１１の取付孔１２に対して取り付け可能となる。また、取付補助部材１００は、当接部１０２が取付孔１２周縁に当接する位置で、本体部１０１に設けられた突出部１０８が取付孔１２内周面に係合することを特徴とする。つまり、突出部１０８を取付孔１２内周面に係合させることで、取付補助部材１００を透孔１０１ｂと取付孔１２とが連通及び合致する位置にガイドして迅速且つ正確に位置決めすることが可能である。そして、本実施形態のように天井材１１が肉薄である場合、突出部１０８が天井材１１表面側に突出するが、これは見栄え上望ましくない。これに対し、突出部１０８は、位置決め（ガイド）の機能を果たした後に邪魔にならないように、本体部１０１内周面に形成された収納部１０９に収納されるように変位可能であり、又は、連結部位１０８ｂを切断して本体部１０１から除去可能である。よって、本実施形態の取付補助部材１００は、器具設置構造１０の見栄えを損なうことなく、ダウンライト器具１５の設置作業を改善することが可能である。
【００４９】
［変形例］
本発明は、上記実施形態に限定されず、種々の変形例を取り得る。以下、本発明の変形例を説明する。なお、各変形例において、三桁で示される構成要素において下二桁が共通する構成要素は、説明がない限り、同一又は類似の特徴を有し、その説明を一部省略する。
【００５０】
（１）上記実施形態の取付補助部材１００では、ヒンジ部１０４によって２つの分割体１０１ａ１，１０１ａ２を相対変位可能としたが、本発明はこれに限定されない。例えば、ヒンジ部は回避凹部の上壁以外の箇所に設けられてもよい。また、ヒンジ部を設けるかわりに、２つの分割体を部分的に又は完全に着脱可能にしてもよい。さらに、本発明の取付補助部材は、３以上の分割体で構成されてもよい。さらには、上記実施形態では、２つの分割体１０１ａ１，１０１ａ２は、互いに重合するように完全に折り畳まれるが、取付孔を通過可能であればＶ字状に折られてもよい。以下に本発明の変形例を具体的に例示する。
【００５１】
例えば、図１５に示した取付補助部材２００は、取付孔２２に連通する透孔２０１ｂを形成し、天井材２１裏面側から取付孔２２周縁に当接する当接部２０２を有し、ダウンライト器具の挟持部により天井材２１とともに挟持される厚みを有する本体部２０１と、当接部２０２よりも天井材２１表面側に突出するように本体部２０１に設けられた突出部２０８と、を備える。該取付補助部材２００の本体部２０１は、上記実施形態の取付補助部材１００と異なり、変位可能な分割体でなく、周方向の一部に切り欠き部２１０を有するＣ字形状に形成されている。そして、図１５（ｃ）に示すように、切り欠き部２１０で天井材２１を挟み込むように取付補助部材２００を傾けることにより、取付補助部材２００に取付孔２２を通過させ、取付補助部材２００を天井材２１表面側から裏面側へと移動させることができる。また、該取付補助部材２００では、本体部２０１に収納部が設けられておらず、突出部２０８は連結部２０８ｂを切断することにより切除可能に構成されている。ただし、本変形例の本体部２０１は、Ｃ字状であるので切り欠き部２０９が拡がるように撓み変形し易い。それ故、ダウンライト器具の挟持部が外方に広がるように挟持圧がかかるタイプの場合には、（上記実施形態の取付補助部材１００のように）切り欠き部２０９が繋がった環状とした方が、取付補助部材の形状が安定するため好適である。
【００５２】
例えば、図１６に示した取付補助部材３００は、取付孔に連通する透孔３０１ｂを形成し、天井材裏面側から取付孔周縁に当接する当接部３０２を有し、ダウンライト器具の挟持部により天井材とともに挟持される厚みを有する本体部３０１と、当接部３０２よりも天井材３１表面側に突出するように本体部３０１に設けられた突出部３０８と、を備える。本取付補助部材３００では、２つの突出部３０８が各分割体３０１ａ１，３０１ａ２にそれぞれ形成されている。本変形例の取付補助部材３００は、上記実施形態の取付補助部材１００と異なり、可撓変形可能な蛇腹状の連結帯３１０が設けられている。すなわち、取付補助部材３００の本体部３０１を構成する一対の分割体３０１ａ１，分割体３０１ａ２が該連結帯３１０によって互いに傾動可能に連結されている。つまり、この蛇腹状の連結帯３１０を屈曲、屈折又は縮退させることにより、両分割体３０１ａ１，３０１ａ２を互いに傾動又は接近させて、取付孔を通過可能な形態に変形可能である。また、該取付補助部材３００では、本体部３０１に収納部が設けられておらず、突出部３０８は連結部３０８ｂを切断することにより切除可能に構成されている。
【００５３】
（２）上記実施形態では、突出部は連結部位を介して折り返されるように回動して収納部に収納されるように変位可能であるが、本発明の突出部は上記形態に限定されない。例えば、突出部を第１位置及び第２位置間に変位可能に上下にスライド移動させるように構成してもよい。また、突出部の形状は、当接部よりも天井材表面側に突出して取付孔に対する取付補助部材の位置決めが可能であれば、上記実施形態に限定されず任意に変更可能である。例えば、突出部は、位置決め可能な部位で本体部に抜き差し可能に保持された棒材やピンなどであってもよい。
【００５４】
（３）上記実施形態では、天井材において、円形の取付孔が穿設され、円形の取付孔に対応するダウンライト器具が設置されたが、本発明はこれに限定されない。例えば、取付孔の形状を円形でなく、角形等の他の形状としてもよい。その場合、取付補助部材の外形を取付孔の形状に合わせて変更することにより対応可能である。すなわち、上記実施形態は、本発明を例示する一実施形態にすぎず、本発明の技術的範囲の範疇であれば、天井材や器具の形状・種類に応じて、取付補助部材及び器具設置構造の形態は適宜改変可能である。さらに、上記実施形態では、突出部は一方の分割体のみに２つ形成されたが、本発明は上記形態に限定されない。例えば、突出部の数を取付孔の径に応じて任意に増減することが可能である。また、両方の分割体にそれぞれ突出部を設けてもよい。
【００５５】
（４）上記実施形態では、肉薄の天井材に器具を取り付けることを補助する用途に取付補助部材が用いられたが、その用途は実施形態に限定されるものではない。例えば、天井材の脆い取付孔周縁を補強したり、取付孔の径を変換する用途に用いられてもよい。
【００５６】
本発明は上述した実施形態や変形例に限定されるものではなく、本発明の技術的範囲に属する限りにおいて種々の態様で実施しうるものである。
【符号の説明】
【００５７】
１０        器具設置構造
１１        天井材
１２        取付孔
１５        ダウンライト器具（器具）
１６        器具本体
１７        鍔部（挟持部の一部）
１８        弾性片（挟持部の一部）
１００      取付補助部材
１０１      本体部
１０１ａ１  一方の分割体
１０１ａ２  他方の分割体
１０１ｂ    透孔
１０２      当接部
１０３      受け部
１０４      ヒンジ部
１０５      係合突部
１０６      係合凹部
１０７      張り出し部
１０８      突出部
１０８ａ    係合爪（保持部の一部）
１０８ｂ    連結部位
１０９      収納部
１０９ａ    切り欠き（保持部の一部）
１１１      平坦部位
１１２      つまみ部
【図１】
0006691432.tif 000002
【図２】
0006691432.tif 000003
【図３】
0006691432.tif 000004
【図４】
0006691432.tif 000005
【図５】
0006691432.tif 000006
【図６】
0006691432.tif 000007
【図７】
0006691432.tif 000008
【図８】
0006691432.tif 000009
【図９】
0006691432.tif 000010
【図１０】
0006691432.tif 000011
【図１１】
0006691432.tif 000012
【図１２】
0006691432.tif 000013
【図１３】
0006691432.tif 000014
【図１４】
0006691432.tif 000015
【図１５】
0006691432.tif 000016
【図１６】
0006691432.tif 000017